(57)【特許請求の範囲】
【請求項１】
表示部および地部と、この表示部および地部を覆うように表面側に設けられビーズが混入された保護層とを有する表示板と、この表示板が保持されるケースと、前記表示板の表面側に配置され前記表示板に当接する当接部を有する見返し部材とを備え、少なくとも前記当接部に対応した前記表示板箇所に前記保護層を除いた抜き部を設けたことを特徴とする計器装置。
【請求項２】
前記抜き部を前記表示板の周縁に設けたことを特徴とする請求項１に記載の計器装置。
【請求項３】
前記抜き部は、前記見返し部材で覆われて視認されないようになっていることを特徴とする請求項１または請求項２に記載の計器装置。
【発明の詳細な説明】
【技術分野】
【０００１】
本発明は、例えば車両用の計器装置に関し、特にビーズが含有された保護層が設けられた表示板を備えた計器装置に関するものである。
【背景技術】
【０００２】
車両用の計器装置として、例えば下記特許文献１に記載のものが知られている。この種の計器装置は、一般的に特許文献１に示されている様に、回路基板３の裏面側に装着された計器本体５と、計器本体５の回動軸４に固着された指針７と、指針７の後方に配置された表示板９と、この表示板９と回路基板３との間に配置され表示板９が保持される保持部材１０（ケース）と、表示板９周縁の表面側に配置され表示板９の可視領域を定める見返し部材１３などを備えており、見返し部材１３が表示板９表面側の周縁に当接している（表示板９の周縁が見返し部材１３と保持部材１０との間に挟まれている）。
【０００３】
また、表示板９には基板２２の表面側に表示部８となる青色の透過性表示層２３と、表示部８となる箇所を除いて地部２５となる黒色の地色層２６などが印刷によって設けられ、更に無色透明な保護層２７が全面に設けてある。特許文献１には記載されていないが、一般的に保護層２７は表示板９の印刷面にキズが付きにくいように保護すると共に、表示板９を視認した際、外光による反射を抑えて視認性を低下させないために設けるものであって、保護層２７内には粉末状で例えばシリカ系の艶消し剤が混入されている。
【特許文献１】特開２００７−７９３２４号公報
【発明の開示】
【発明が解決しようとする課題】
【０００４】
ところで、上述した様な計器装置に於いて、表示板の見栄えを変えるために保護層内にビーズを混入させることがある。ビーズを混入する主な目的としては、表面にざらつき感を与えること。或いは、艶消し剤を混入することで、例えば地部２５（地色層２６）が鮮明な黒色とならず白っぽくなってしまうので、白っぽさを抑えるために保護層２７内に透明なビーズを混入するか、透明なビーズのみが混入された保護層とするものである。
【０００５】
しかしながら、ビーズが混入された保護層を設けた表示板を特許文献１に記載の計器装置に用いた場合、計器装置に振動が加わると、見返し部材１３と保護層内に含まれているビーズとが擦れあって異音が発生する虞がある。
【０００６】
本発明はこの様な点に鑑みなされたもので、ビーズが含有された保護層が設けられた表示板を備えていても、振動による異音の発生を抑えることが可能な計器装置を提供することを目的とする。
【課題を解決するための手段】
【０００７】
本発明は前記目的を達成するため、表示部および地部と、この表示部および地部を覆うように表面側に設けられビーズが混入された保護層とを有する表示板と、この表示板が保持されるケースと、前記表示板の表面側に配置され前記表示板に当接する当接部を有する見返し部材とを備え、少なくとも前記当接部に対応した前記表示板箇所に前記保護層を除いた抜き部を設けたものである。
【０００８】
また、前記抜き部を前記表示板の周縁に設けたものである。
【０００９】
また、前記抜き部は、前記見返し部材で覆われて視認されないようになっているものである。
【発明の効果】
【００１０】
ビーズが含有された保護層が設けられた表示板を備えていても、振動による異音の発生を抑えることが可能な計器装置を得ることができる。
【発明を実施するための最良の形態】
【００１１】
本発明を、例えば車両に備えられる計器装置を実施形態として説明する。図１は、本発明の第１実施形態を示す計器装置の部分断面図であり、図２は、同計器装置の要部詳細断面図である。
【００１２】
計器装置は、硬質な回路基板１と、この回路基板１の裏面側に回路基板１と導通状態で装着され、回路基板１を貫通して前方に延びる回動軸２を有する例えば速度計用の計器本体３と、回動軸２に固着され指示部４を有する指針５と、この指針５の背後に配置され指示部４の指示対象となる例えば車両の速度を現す目盛，数字などの表示部６が設けられた表示板７と、この表示板７と回路基板１との間に配置され表示板７が保持されるケース８と、表示板７周縁の表面側に配置され表示板７の可視領域を定める開口部９を有する見返し部材１０を備えている。
【００１３】
また、表示板７や見返し部材１０の前方側を被う無色透明な透視板１１と、回路基板１の裏面側を被う合成樹脂製のカバー１２と、回路基板１上に実装された指針５照明用の発光ダイオード１３および表示板７照明用の発光ダイオード１３Ａなどを備えており、夜間などに於いて、各発光ダイオード１３，１３Ａが点灯することで指針５の指示部４および表示板７の表示部６がそれぞれ照明されるようになっている。
【００１４】
ケース８は、遮光性のある例えば白色の合成樹脂からなり、外周壁１４と、表示板７が載置される載置部１５と、指針５照明用の発光ダイオード１３を囲む筒部１６などを有している。
【００１５】
見返し部材１０は、例えば黒色の合成樹脂からなり、表示板７の表面側の周縁に当接する当接部１７を有しており、表示板７の周縁がこの当接部１７とケース８の載置部１５との間に挟持された状態となっている。
【００１６】
表示板７は、無色透明な基板１８の表面側に表示部６となる例えば白色の透過性表示層１９を印刷形成した後、表示部６を除いて地部２０となる例えば黒色の地色層２１が印刷形成してある。また、表示部６（透過性表示層１９）および地部２０（地色層２１）を覆うようにビーズ（図示せず）が混入された透明な保護層２２が印刷によって設けてある。本実施形態に於けるビーズは無色透明であり、粒子径は１０〜７０ミクロンであるが、これに限定するものではない。なお、表示部６および地部２０である透過性表示層１９と地色層２１は、基板１８の裏面側に設けても良い。
【００１７】
また、見返し部材１０の当接部１７に対応した表示板７の周縁箇所には保護層２２を除いた（設けない）抜き部２３が設けてある。この抜き部２３は、見返し部材１０の開口部９より少し内側（即ち可視領域内）までとしてある。そして、この抜き部２３の一部に見返し部材１０の当接部１７が当接し、ケース８の載置部１５との間で抜き部２３が挟持されている。
【００１８】
この様に、見返し部材１０の当接部１７が当接する表示板７箇所がビーズが混入された保護層２２を除いた抜き部２３としてあるために、計器装置に振動が加わったとしても当接部１７とビーズとが擦れ合うことがなく、異音の発生が抑えられる。
【００１９】
また、抜き部２３を表示板７の周縁に設け、この箇所を見返し部材１０の当接部１７とケース８とで挟持することで、振動による表示板７の振れを抑えるには最適の位置（構造）となる。
【００２０】
図３は、本発明の第２実施形態を示す計器装置の要部詳細断面図である。本実施形態は、前記第１実施形態とは表示板に設けられた抜き部の範囲が異なるのみで他は同じため、同一または相当箇所には同一符号を付し、その詳細説明は省略する。
【００２１】
表示板７の周縁側に設けられた抜き部２３は、図３に示す様に見返し部材１０の開口部９より周縁側に位置する。その為、車両の運転者（視認者）が計器装置を視認した際、可視領域外にあるために抜き部２３が視認されない。
【００２２】
この様に、本実施形態に於いても前記第１実施形態と同様な効果が得られると共に、表示板７に設けられた抜き部２３が見返し部材１０で覆われているため、保護層２２とは質感の異なる抜き部２３が視認されず見栄えが均一な計器装置が得られる。
【００２３】
なお、本発明は前記各実施形態に限定されるものではなく、例えば、抜き部２３は表示板７の周縁でなくとも良い。即ち、見返し部材１０の当接部１７とケース８の載置部１５との間で挟持される箇所は表示板７の周縁でなくとも良い。また、抜き部２３は必ずしも見返し部材１０の当接部１７とケース８とで挟持される構造となっていなくとも良く、当接部１７が抜き部２３に当接する箇所が有る計器装置であれば、当接部１７（抜き部２３）に対応した箇所にケース８の載置部１５が位置していなくとも良い。また、抜き部２３は少なくとも当接部１７に対応した表示板７箇所に設けてあれば良いものである。
【図面の簡単な説明】
【００２４】
【図１】本発明の第１実施形態を示す計器装置の部分断面図。
【図２】同計器装置の要部詳細断面図。
【図３】本発明の第２実施形態を示す計器装置の要部詳細断面図。
【符号の説明】
【００２５】
６  表示部
７  表示板
８  ケース
１０  見返し部材
１７  当接部
２０  地部
２２  保護層
２３  抜き部
【図１】
0005177629.tif 000002
【図２】
0005177629.tif 000003
【図３】
0005177629.tif 000004